(57)【要約】【課題】ＬＥＤを用いた露光装置特有のトナー汚れの問題を、ユーザーに負担を強いることなく簡易に解消することができる画像形成装置を提供する。【解決手段】装置本体１０と、電子写真方式の画像記録部３と、該画像記録部３において画像を記録させる為の用紙２０を収容し、装置本体１０に対して抜差し可能に設置される用紙供給カセット２１とを備えた画像形成装置１であって、上記画像記録部３は、感光体ドラム３０と、多数のＬＥＤ３２１を配列させて構成され、上記感光体ドラム３０にその長手方向に沿って露光面３２５が接近した状態で対面するよう配置された露光ユニット３２と、該露光ユニット３２の露光面３２５に沿って接触状態で移動可能に設けられた清掃部材５とを含み、上記用紙供給カセット２１と上記清掃部材５とは連動機構６を介して連繋され、該清掃部材５は、用紙供給カセット２１の抜差し動作に連動して上記移動がなされるよう構成されていることを特徴とする。【選択図】図２
2009122501.tif 000002
【特許請求の範囲】
【請求項１】
装置本体と、電子写真方式の画像記録部と、該画像記録部において画像を記録させる為の用紙を収容し、装置本体に対して抜差し可能に設置される用紙供給カセットとを備えた画像形成装置であって、
上記画像記録部は、感光体ドラムと、多数の発光ダイオードを配列させて構成され、上記感光体ドラムにその長手方向に沿って露光面が接近した状態で対面するよう配置された露光ユニットと、該露光ユニットの露光面に沿って接触状態で移動可能に設けられた清掃部材とを含み、
上記用紙供給カセットと上記清掃部材とは連動機構を介して連繋され、該清掃部材は、用紙供給カセットの抜差し動作に連動して上記移動がなされるよう構成されていることを特徴とする画像形成装置。
【請求項２】
請求項１に記載の画像形成装置において、
前記連動機構が、前記清掃部材と用紙供給カセットとを繋ぐ線材と、前記装置本体に設置され上記線材の途中が巻きかけられる複数の滑車とより構成されていることを特徴とする画像形成装置。
【請求項３】
請求項１に記載の画像形成装置において、
前記連動機構が、前記用紙供給カセットに抜差し方向に沿って設けられたラックと、前記装置本体に設置され該ラックに噛み合うピニオンと、装置本体に設置され該ピニオンの回転動作に連動して駆動するベルト機構と、該ベルト機構のプーリーに繰出し可能に巻き付けられると共にその先端が前記清掃部材に繋げられた線材とより構成されていることを特徴とする画像形成装置。
【発明の詳細な説明】
【技術分野】
【０００１】
本発明は、複写装置、ファクシミリ装置、プリンタ或いはこれらの機能を備えた複合機等の画像形成装置に関し、更に詳しくは、用紙供給部から繰出された用紙を電子写真方式の画像記録部によって逐次画像記録を行う画像形成装置に関する。
【背景技術】
【０００２】
上記のような画像形成装置としては、装置本体に対して抜差し可能に設置される用紙供給カセットから、１枚ずつ用紙（記録紙）を繰出し、用紙搬送路の途中に設置された電子写真方式の画像記録部で画像記録を行うものが挙げられる。電子写真方式の画像記録部は、感光体ドラムと、該感光体ドラムの表面を一様に帯電する帯電器と、画像情報に基づき感光体ドラムの表面に静電潜像を形成する露光装置と、静電潜像を現像してトナー画像を形成する現像器と、トナー画像を用紙に転写する転写器とを主な構成要素として備える。露光装置としては、レーザービーム方式によるものの他、多数の発光ダイオード（以下、ＬＥＤと略称する）を配列してユニット化し、上記感光体ドラムにその長手方向に沿って露光面が接近した状態で対面するよう配置される露光ユニットも用いられている。
【０００３】
上記のような画像形成装置の場合、装置本体内はトナー、紙粉、その他の埃の浮遊環境にある。露光装置の露光面にこれらの浮遊異物が付着して堆積すると、感光体ドラムに対する露光不良が生じ、静電潜像の形成が正常になされなくなり、これが画質不良の一要因となる。その為、露光装置の露光面に接触状態で移動可能な清掃部材を設け、この清掃部材に操作棒を取付け、画質不良が生じた時には、ユーザーがこの操作棒を往復移動操作して露光面の清掃を行うようにした画像形成装置も実用化されている。しかし、画質不良が生じた場合、ユーザーサイドでは、上記露光面の汚れが原因であると認識できず、上記操作棒の操作に至らないことが多々ある。また、操作棒の存在すら知らず、その対処の仕方がわからないままになってしまうこともある。そこで、特許文献１或いは特許文献２に開示された画像形成装置は、用紙供給カセットと清掃部材とを連繋させ、用紙供給カセットの抜差し動作に連動して清掃部材を露光面に沿って接触状態で移動させるよう構成されている。従って、この清掃部材の移動により露光面は清掃されるから、ユーザーは露光面の汚れと画質不良との因果関係を特に認識しなくても、露光面の清浄状態が常時維持されることになる。
【特許文献１】特開２００２−３３３８０２号公報
【特許文献２】特開２００５−２６５９６５号公報
【発明の開示】
【発明が解決しようとする課題】
【０００４】
ところで、上記特許文献１及び特許文献２の画像形成装置に用いられる露光装置は、いずれもレーザービーム方式によるものである。このようなレーザービーム方式の露光装置は、１個のレーザー光源から出射されたレーザーを、回転するポリゴンミラーで反射させ、レンズ及び複数のミラー等を介してレーザービームとして出力させて感光体ドラムの表面に走査させることによって静電潜像を形成させるものである。特許文献１及び特許文献２の露光装置は、レーザー光源を含むこれらの光学系を１個の筐体内に収め、出射口を透光板で塞ぎ、この透光板を通してレーザービームを感光体に照射して走査するようにしている。この場合、レーザービームの出射口は、レーザービームが感光体の主走査幅に亘って走査し得るよう、感光体から比較的離れた位置に設置される。その為、感光体表面の転写残トナーが浮遊しても、透光板が浮遊トナーによって汚れることは左程多くはない。また、１個のレーザー光源から発せられるレーザービームをポリゴンミラーで反射させることによって走査するものであるから、透光板に多少のトナー等の異物が付着しても画像品質にそれ程大きく影響することはない。
【０００５】
一方、多数のＬＥＤを配列してユニット化した露光装置は、感光体の長手方向幅（主走査幅）に亘って配列されたＬＥＤの発光部にセルフォックレンズ（登録商標）を配置し、更にその出光部に透光板を設けてユニット化したものである。この場合、各ＬＥＤが画像情報に基づき発光し、セルフォックレンズ（登録商標）及び透光板を通して、感光体の表面に照射される為、その露光面は感光体の表面に接近した（約５ｍｍ）位置に対面するよう配置する必要がある。従って、感光体表面の転写残トナーが浮遊した際に、浮遊トナーによって露光面が汚れ易い状態に晒されることになる。特に、感光体が感光体ドラムの場合は、帯電器の下流側位置に接近して配置される露光装置は、用紙搬送機構等の機構部の駆動振動や、用紙ジャム時の修復操作に伴う振動等により感光体ドラム表面から浮遊した転写残トナーの影響を大きく受ける。しかも、各ＬＥＤが順次発光することにより、実質的に感光体に対してその主走査方向に光走査するものであるから、露光面のわずかな汚れも画像品質に影響する。
【０００６】
本発明は、上記実情に鑑みなされたものであり、ＬＥＤを用いた露光装置特有のトナー汚れの問題を、ユーザーに負担を強いることなく簡易に解消することができる画像形成装置を提供することを目的としている。
【課題を解決するための手段】
【０００７】
本発明の画像形成装置は、装置本体と、電子写真方式の画像記録部と、該画像記録部において画像を記録させる為の用紙を収容し、装置本体に対して抜差し可能に設置される用紙供給カセットとを備えた画像形成装置であって、上記画像記録部は、感光体ドラムと、多数のＬＥＤを配列させて構成され、上記感光体ドラムにその長手方向に沿って露光面が接近した状態で対面するよう配置された露光ユニットと、該露光ユニットの露光面に沿って接触状態で移動可能に設けられた清掃部材とを含み、上記用紙供給カセットと上記清掃部材とは連動機構を介して連繋され、該清掃部材は、用紙供給カセットの抜差し動作に連動して上記移動がなされるよう構成されていることを特徴とする。
【０００８】
本発明において、前記連動機構を、前記清掃部材と用紙供給カセットとを繋ぐ線材と、前記装置本体に設置され上記線材の途中が巻きかけられる複数の滑車とより構成する（以下、第一の連動機構と言う）ことができる。或いは、連動機構を、用紙供給カセットに抜差し方向に沿って設けられたラックと、装置本体に設置され該ラックに噛み合うピニオンと、装置本体に設置され該ピニオンの回転動作に連動して駆動するベルト機構と、該ベルト機構のプーリーに繰出し可能に巻き付けられると共にその先端が前記清掃部材に繋げられた線材とより構成する（以下、第二の連動機構と言う）こともできる。
【発明の効果】
【０００９】
本発明の画像形成装置によれば、用紙供給カセットを用紙の補充或いは用紙交換の為に装置本体に対して抜差しすると、この抜差し動作に連動して清掃部材が露光ユニットの露光面に沿って接触状態で移動する。従って、この清掃部材の移動によって露光ユニットの露光面が清浄化され、露光面の汚れに起因した画質不良の発生頻度が少なくなる。特に、露光ユニットが多数のＬＥＤを配列させたものであるから、感光体ドラムに接近した状態で対面するよう配置させる必要があり、その為、感光体ドラム表面の転写残トナーの浮遊環境に晒される。しかし、上記のように用紙供給カセットの抜差し動作に連動して露光面の清掃がなされるから、露光面が常に清浄な状態に保たれ、ＬＥＤによる露光ユニットの機能が維持され、露光面の汚れが画質不良の原因となることが少なくなる。しかも、用紙供給カセットの抜差し動作は、本画像形成装置を取り扱う上で不可避のものであり、この操作に伴う露光面の清掃機能は、ユーザーが意識することなく実行されるから、ユーザーに対して負担を強いることにはならない。
【００１０】
前記連動機構として、第一の連動機構を採用した場合、前記清掃部材と用紙供給カセットとを繋ぐ線材と、線材の途中が巻きかけられる複数の滑車とよりなるから、装置構成が簡単で、コストの高騰を来たすこともない。また、第二の連動機構を採用した場合は、ラックアンドピニオン機構、ベルト機構及び線材との組合せで構成されるから、用紙供給カセットの抜差し動作に伴う露光面の清掃動作がより的確になされる。
【発明を実施するための最良の形態】
【００１１】
以下に本発明の最良の実施の形態について、図面に基づいて説明する。図１は本発明に係る画像形成装置の一実施形態を示す概略的縦断面図、図２は同装置における露光ユニットと用紙供給カセットとの連繋関係の一実施形態を示す概念的部分破断側面図、図３は図２におけるＸ−Ｘ線矢視断面図、図４は露光ユニットと用紙供給カセットとの連繋関係の他の実施形態を示す図２と同様図である。
【００１２】
図１の画像形成装置１は、電子写真方式の記録部を備えたプリンタを例に採って示しているが、これに限らず、画像読取装置を備えた複写機、ファクシミリ装置或いはこれらの機能を兼ね備えた所謂複合機等であっても良い。図において、画像形成装置１の装置本体１０は、記録紙（用紙）の用紙供給部２と、電子写真方式の画像記録部３と、記録後の記録紙の排出部４とが、この順序で高さ方向に積み重なるように構成されている。記録紙の用紙供給部２は、多数枚の記録紙２０を堆積状態で収納し得る抜差し可能な記録紙（用紙）供給カセット２１と、該記録紙供給カセット２１の前端部に設置されたセパレートローラ２２と、該セパレートローラ２２の周面に弾性的に接する分離パッド２３と、記録紙供給カセット２１内に設置され、堆積された記録紙２０を押し上げる押上板２４と、押上板２４に上向きの弾力を付与する圧縮コイルばね２５とよりなる。押上板２４は圧縮コイルばね２５によって常時上向きの弾力が付与されているから、押上板２４上に堆積された記録紙２０の前端部が、セパレートローラ２２の周面に押し当てられる。従って、セパレートローラ２２が回転すると、該セパレートローラ２２と分離パッド２３との協働作用によって、堆積された記録紙２０がその最上層部より１枚ずつ分離され、後記する記録紙搬送路８に向け繰出される。
【００１３】
画像記録部３は、感光体ドラム３０の周囲に、プラス（或いはマイナス）帯電方式の帯電器３１、露光ユニット３２、現像装置３３、転写ローラ３４及びクリーニング装置３５をこの順序で配したプロセス部と、その下流側の定着器３６とより構成される。露光ユニット３２は、後記するように多数のＬＥＤ３２１を感光体ドラム３０の長手方向、即ち、主走査方向に配列させてユニット化したものであり、その露光面３２５に沿って接触状態で移動可能な清掃部材５を備えている。清掃部材５は、後記するように連動機構６を介して記録紙供給カセット２１に連繋され、この連動機構６によって、上記露光面３２５に沿って接触状態で移動可能とされる。感光体ドラム３０、帯電器３１及びクリーニング装置３５はドラムユニットとしてユニット化され、また現像装置３３は現像器ユニットとしてユニット化され、両ユニットは装置本体１０に対して個々に、或いは結合された状態で着脱可能に装着される。これら各ユニットは消耗品であるから、装置本体１０に対して抜差し可能とされる。この抜差し可能な態様としては、図１における紙面の垂直方向に抜差し可能とされる場合の他、装置本体１０の上方に取出し可能とされる場合、或いは装置本体１０の他の側部より抜差し可能とされる場合もある。露光ユニット３２は、感光体ドラム３０に接近した状態で配置されているから、ドラムユニットの抜差し動作の際に、お互いに当たり合って、感光体ドラム３０の表面或いは露光ユニット３２の露光面３２５が傷付く恐れがある。その為、図示はしないが、感光体ドラム３０の抜差し操作の際に、レバー操作等により露光ユニット３２を感光体ドラム３０から離れた位置に退避させた上でないと、抜差し操作ができないようにした機構が採用される。また、記録紙供給カセット２１は、図１における紙面の垂直方向（図２及び図４の白抜矢示方向１５参照）に抜差し可能とされている。
【００１４】
定着器３６の下流側には、切替ゲート４１、排出ローラ対４２及び排出トレイ４３が設けられ、これらによって記録紙の排出部４が構成される。上記プロセス部の上流側近傍には、レジストローラ対７が設置され、上記記録紙供給カセット２１から、セパレートローラ２２及び分離パッド２３の作用により１枚ずつ分離され繰出された記録紙２０は、該レジストローラ対７によりレジストされて、前記感光体ドラム３０と転写ローラ３４とのニップ部に導入される。感光体ドラム３０は、図１の矢印方向に回転しながら、帯電器３１によりその表面が一様にプラス帯電（或いはマイナス帯電）され、画像情報に基づく光学画像が露光ユニット３２によって感光体ドラム３０の表面に照射され、感光体ドラム３０の表面には静電潜像が形成される。この静電潜像は、感光体ドラム３０の表面の光導電体の特性に基づき、光の照射部分と非照射部分で生じる電位の差により形成されるものである。
【００１５】
上記静電潜像は、現像装置３３で逐次現像されてトナー画像とされ、このトナー画像は感光体ドラム３０の回転に伴い、転写ローラ３４とのニップ部に至る。上記レジストローラ対７は、感光体ドラム３０の表面のトナー画像の移動に同期して記録紙２０が上記ニップ部に導入されるようレジスト制御されて回転駆動される。転写ローラ３４は、感光体ドラム３０に接し且つ矢印方向（感光体ドラム３０とウイズ方向）に回転駆動されながら記録紙２０をニップして搬送し、この間感光体ドラム３０の表面のトナー像が記録紙に転写される。トナー像が転写された記録紙２０は、定着器３６に導入され、永久画像として定着された後、切替ゲート４１を押し上げ、排出ローラ対４２を経て排出トレイ４３上に排出される。この一連の記録紙２０の搬送は、記録紙供給カセット２１からの繰出し直後に略垂直（鉛直）に立ち上がり、排出ローラ対４２では記録紙供給カセット２１からの繰出し方向とは略１８０度の方向にＵターンするような記録紙搬送路（以下、主搬送路と言う）８に沿ってなされ、記録紙２０は主搬送パスライン２０１を描いて排出トレイ４３に排出される。このようなレイアウト構成により、装置全体のコンパクト化が図られる。
【００１６】
現像装置３３は、２成分現像剤を用いる方式の現像器であって、樹脂成型されたケーシングの内部にトナーとキャリアからなる現像剤を貯留する現像剤貯留室を備え、該貯留室内には、２本の攪拌搬送スクリュー３３１と、供給ローラ３３２と、バイアス印加される現像ローラ３３３とが設けられている。貯留室内のこれら機構部３３１，３３２，３３３は、現像装置３３を装置本体１０内の所定部位に装着した際、装置本体１０内の駆動伝達機構（不図示）に連結され、その回転駆動が可能な状態とされる。また、現像ローラ３３３は、バイアス印加電源（不図示）に電気的に接続される。現像剤貯留室から離間した位置には、トナータンク３３４及びトナーホッパー３３５が設置され、現像剤貯留室内のトナー濃度が低下すると、トナーホッパー３３５よりスクリューコンベア（パイプスクリュー）３３６を介してトナーが現像剤貯留室内に補給される。トナータンク３３４は廃トナータンク３３７と一体とされて、装置本体１０に対して着脱可能に装着されるトナーカートリッジ３３０として構成されている。前記クリーニング装置３５で感光体ドラム３０の表面より除去された転写残トナーは、スクリュー３３８を介して廃トナータンク３３７に回収される。
尚、現像装置３３としては、２成分現像剤を用いる方式のものに限らず、一成分方式、その他の方式のものも採用可能である。
【００１７】
図例の画像形成装置１は、両面記録機能を備えている。上記主搬送路８の切替ゲート４１の取付け位置から、前記レジストローラ対７の上流側で上記主搬送路８に循環して合流する反転用紙搬送路（以下、反転搬送路と言う）９が形成されている。この反転搬送路９に沿って２対の搬送ローラ対９１，９２が設けられている。片面記録がされ主搬送路８に沿って搬送された記録紙２０は、その後端が排出ローラ対４２に至ると、該排出ローラ対４２の逆転により反転搬送路９に供給される。反転搬送路９に供給された記録紙２０は、引き続き、搬送ローラ対９１，９２によって反転搬送路９に沿って搬送され、反転搬送パスライン２０２を描いて主搬送路８に合流し、レジストローラ対７に至る。その後、再度感光体ドラム３０と転写ローラ３４とのニップ部に導入されてその裏面の記録がなされる。両面記録された記録紙２０は、上記同様主搬送路８に沿って排出トレイ４３上に排出される。
【００１８】
また、装置本体の側面には手差し供給トレイ１１０が開閉自在に設けられている。この手差し供給トレイ１１０にセットされた記録紙２０は、セパレートローラ１１１と分離パッド１１２との作用により１枚ずつ分離されて装置本体１０内に供給される。これらにより手差用紙供給部１１が構成される。分離及び供給された記録紙２０は、手差用紙搬送路１２を経て、手差搬送パスライン２０３を描き主搬送路８に合流し、レジストローラ対７によって感光体ドラム３０と転写ローラ３４のニップ部に導入される。従って、手差記録紙２０に対して、上記同様に画像情報に基づく記録がなされる。図例の画像形成装置１は、多段カセット方式としてのオプションカセット(不図示）を前記記録紙供給カセット２１の下に設置可能とされており、装置本体１０には、下段のオプションカセットからの記録紙の搬送路８´が形成されている。この搬送路８´は、多段カセット方式にした場合、主搬送路８の一部を構成するものである。
【００１９】
レジストローラ対７は、駆動ローラと、これに押し当てられるフリー回転自在なプレッシャーローラからなる。該駆動ローラとプレッシャーローラとのニップ部に導入された記録紙２０は、駆動ローラの回転駆動とプレッシャーローラの押圧作用とにより、その下流側に推進及び搬送される。レジストローラ対７の上流側近傍の主搬送路８を構成するガイド壁部には、レジストローラ対７の上記ニップ部に記録紙２０を円滑に案内及び導入する為の樹脂フィルム１３，１４が接着により固定されている。
【００２０】
次に、露光ユニット３２、清掃部材５及び第一の連動機構（連動機構の第一の実施形態）６について、図２及び図３を参照して詳述する。露光ユニット３２は、ユニットケース３２０内に、多数のＬＥＤ３２１を上記主走査方向に沿った配列状態で組み込み構成されている。ＬＥＤ３２１は、ユニットケース３２０内に組み込まれた基板３２２に搭載され、該ＬＥＤ３２１の発光部には、光軸に沿ってセルフォックレンズ（登録商標）３２３及び透光板３２４が組み付けられ、該透光板３２４の外表面が露光面３２５とされている。図２では、この多数のＬＥＤ３２１の配列群を破線で示している。露光面３２５は、感光体ドラム３０の表面に接近した状態で対面し、露光面３２５と感光体ドラム３０の表面との間隔Ｄは約５ｍｍに設定される。
【００２１】
清掃部材５は、フエルト或いはスポンジ等からなる清掃体５１と、該清掃体５１を保持する枠状の移動体５２とよりなる。移動体５２は、上記ユニットケース３２０若しくは装置本体１０に形成されたガイド体（不図示）に、清掃体５１が上記露光面３２５に接触状態でその長手方向に沿って移動し得るよう案内及び支持される。移動体５２の側部には、突起５３が設けられ、この突起５３に後記する第一の連動機構６を構成するワイヤ（線材）６１が連結されている。
【００２２】
第一の連動機構６は、上記清掃部材５と記録紙供給カセット２１とを繋ぐワイヤ６１と、装置本体１０（図１参照）に回転自在に設置された２個の滑車６２，６２とより構成される。ワイヤ６１は、その一端が上記突起５３に、他端が記録紙供給カセット２１の底部に形成された連結用突起２１０に連結されている。２個の滑車６２，６２にはワイヤ６１の途中が巻きかけられている。また、上記突起５３には、記録紙供給カセット２１との連結方向とは逆方向に引張り力を作用させるぜんまいばね等による引張力付与部材６３が連結されている。この引張力付与部材６３としては、ぜんまいばね以外に引張コイルばね或いはゴム紐等も採用可能である。記録紙供給カセット２１は、装置本体１０に対して白抜矢示方向１５に抜差し可能とされ、矢示方向１５１が抜き出し方向を、矢示方向１５２が差し込み方向を、夫々示している。
【００２３】
図２は、記録紙供給カセット２１が装置本体１０内の所定位置に差し込み設置された状態（図１の状態）を示す。この状態から、記録紙供給カセット２１を記録紙の補充或いは交換（サイズ交換）等の為に矢示方向１５１に抜き出そうとすると、ワイヤ６１が、引張力付与部材６３の引張力に抗して矢示方向６１１に引張られ、滑車６２，６２の回転を伴いながら同方向６１１に移動する。これに伴い、清掃部材５が露光ユニット３２の露光面３２５に沿って図２の右方向に移動し、この清掃部材５の移動に伴う清掃体５１の露光面３２５に対する接触状態での清掃作用により、露光面３２５が清浄化される。記録紙の補充或いは交換等の後、記録紙供給カセット２１は、装置本体１０内の所定位置に戻すべく白抜矢示方向１５２に差し込まれる。この時、ワイヤ６１には引張力付与部材６３によって引張力が付与されているから、ワイヤ６１は矢示方向６１２に引き戻され、これと共に清掃部材５が露光面３２５に沿って左方向に移動する。このように、記録紙供給カセット２１の抜差し動作に伴う、清掃部材５の露光面３２５に沿った接触状態の往復移動によって、露光面３２５が清浄化される。
【００２４】
上述のように、露光ユニット３２は、多数のＬＥＤ３２１を配列状態で組み込んでユニット化されたものであり、その特性上、感光体ドラム３０の至近位置に設置される為、常に転写残トナーの浮遊環境に晒されることになる。しかし、記録紙供給カセット２１の抜差し動作によって露光面３２５が清掃され、清浄な状態に保たれるから、転写残トナー等の浮遊異物の付着が原因の露光不良及び画質不良の発生が抑制される。しかも、この種の画像形成装置１を取り扱う上で、記録紙供給カセット２１の抜差し操作は不可避であり、ユーザーに対して精神的負担を伴うことなく露光ユニット３２の清浄化を実施することができる。更に、第一の連動機構６は、ワイヤ６１と、滑車６２と、引張力付与部材６３とにより構成されるから、構造が簡単であり、コストの高騰を来たす懸念がない。
【００２５】
図４は第二の連動機構（連動機構の第二の実施形態）６０を示すものである。第二の連動機構６０は、用紙供給カセット２１の下面に抜差し方向（白抜矢示方向１５）に沿って設けられたラック６４と、装置本体１０に設置され該ラック６４に噛み合うピニオン６５と、装置本体１０に設置され該ピニオン６５の回転動作に連動して駆動する第一及び第二のベルト機構６６，６７と、第二のベルト機構６７の後記するプーリー６７２に同軸的に一体に設けられた巻取りドラム６７４に繰出し可能に巻き付けられると共にその先端が清掃部材５の突起５３に連結されたワイヤ（線材）６１とより構成されている。この場合、巻取りドラム６７４は、実質的にプーリー６７２の一部分として形成される。第一及び第二のベルト機構６６，６７は、夫々２個のプーリー６６１，６６２及び６７１，６７２にベルト６６３，６７３を巻きかけて構成されている。第一のベルト機構６６の一方のプーリー６６１は、上記ピニオン６５と同軸的に一体とされている。また、第一のベルト機構６６と第二のベルト機構６７との連繋部分では、双方のプーリー６６２，６７１が同軸的に一体とされている。清掃部材５の上記突起５３には、上記と同様に、記録紙供給カセット２１との連結方向とは逆方向に引張り力を作用させる引張力付与部材６３が連結されている。
【００２６】
上記構成の第二の連動機構６０による記録紙供給カセット２１及び清掃部材５の連繋関係において、記録紙供給カセット２１を白抜矢示方向１５１に抜き出し操作すると、ラック６４とピニオン６５との噛み合いにより、ピニオン６５は矢示方向６５１に回転する。このピニオン６５の回転によって、第一ベルト機構６６は矢示方向６６４に、第二のベルト機構６７は矢示方向６７５に、夫々回転駆動し、この回転駆動がプーリー６７２を介し巻取りドラム６７４に伝達され、ワイヤ６１が巻取りドラム６７４に巻き取られる。巻取りドラム６７４に対するワイヤ６１の巻き取り動作に伴い、清掃部材５が露光ユニット３２の露光面３２５に沿って右方向に移動し、この清掃部材５の移動に伴う清掃体５１の露光面３２５に対する接触状態での清掃作用により、上記同様露光面３２５が清浄化される。また、記録紙の補充或いは交換等の後、記録紙供給カセット２１は、装置本体１０内の所定位置に戻すべく白抜矢示方向１５２に差し込まれるが、この時、ラック６４とピニオン６５との噛み合いによりピニオン６５が矢示方向６５２に回転する。このピニオン６５の矢示方向６５２への回転に伴い、第一及び第二のベルト機構６６，６７は、は矢示方向６６５，６７６に回転駆動し、巻き取りドラム６７４から巻き取られたワイヤ６１が繰出される。そして、ワイヤ６１には引張力付与部材６３によって引張力が付与されているから、繰出されたワイヤ６１は引き戻され、これと共に清掃部材５が露光面３２５に沿って左方向に移動する。このように、記録紙供給カセット２１の抜差し動作に伴う、清掃部材５の露光面３２５に沿った接触状態の往復移動によって、露光面３２５が清浄化される。従って、上記と同様の機能を奏する。この場合、第二の連動機構６０の装置構成は、多少複雑になるが、記録紙供給カセット２１の抜差し動作に伴う露光面３２５の清掃動作がより的確になされる。
【００２７】
尚、上記実施形態では、電子写真方式の画像記録部は、モノクロの画像記録部であることを示しているが、カラーの画像記録部であっても良い。また、連動機構について２つの実施形態を例示したが、用紙供給カセットと上記清掃部材とを連繋し、用紙供給カセットの抜差し動作に連動して清掃部材を移動させるものであれば、他の機構も採用することは可能である。
【図面の簡単な説明】
【００２８】
【図１】本発明に係る画像形成装置の一実施形態を示す概略的縦断面図である。
【図２】同装置における露光ユニットと用紙供給カセットとの連繋関係の一実施形態を示す概念的部分破断側面図である。
【図３】図２におけるＸ−Ｘ線矢視断面図である。
【図４】露光ユニットと用紙供給カセットとの連繋関係の他の実施形態を示す図２と同様図である。
【符号の説明】
【００２９】
１      画像形成装置
１０    装置本体
２０    記録紙（用紙）
２１    記録紙（用紙）供給カセット
３      画像記録部
３０    感光体ドラム
３２    露光ユニット
３２１  ＬＥＤ（発光ダイオード）
３２５  露光面
５      清掃部材
６      連動機構（第一の実施形態）
６０    連動機構（第二の実施形態）
６１    ワイヤ（線材）
６２    滑車
６４    ラック
６５    ピニオン
６６，６７    ベルト機構
６７２  プーリー
６７４  巻取りドラム（プーリーの一部）
【図１】
2009122501.tif 000003
【図２】
2009122501.tif 000004
【図３】
2009122501.tif 000005
【図４】
2009122501.tif 000006